(57)【要約】      （修正有）【課題】使用しないときは、広がらないようにコンパクトに折り畳める扇子兼用のメガホンを提供する。【解決手段】扇形のシート１が扇子として使用される。シート１を丸めると、メガホンとして使用される。シート１の左右の一側に、差込部４が設けられ、シート１の他側に、差込部４を係止する係止孔５が設けられる。シート１を折り返して畳めるようにシート１に、放射状の折り目２が下辺から上辺に向けて設けられ、シート１の一側に近い２つの放射状の折り目２ａが二重に設けられ、二重の折り目２ａの間に、シート１を折り畳んだ状態に保持するために差込部４を係止する保持孔６が設けられる。シート１は他側から折り目２に沿って折り畳まれ、二重の折り目２ａに沿ってシート１を折ると、折り畳んだシート１が包み込まれ、差込部４を保持孔６に差し込むことにより、シート１は折り畳まれた状態になる。【選択図】図１
0003223657.tif 000002
【実用新案登録請求の範囲】
【請求項１】
上辺が円弧状、下辺が親指と人差し指との間から手のひらにかけて沿うような曲線状とされた扇形のシートが扇子として使用され、
シートの左右の少なくとも一側に、差込部が設けられ、シートの他側に、差込部を係止する係止孔が設けられ、シートを丸めて差込部を係止孔に差し込んでシートを筒状にすることによりメガホンとして使用され、
シートを折り返して畳めるようにシートに、放射状の折り目が下辺から上辺に向けて設けられ、シートの一側に近い２つの放射状の折り目が二重に設けられ、二重の折り目の間に、シートを折り畳んだ状態に保持するために差込部を係止する保持孔が設けられ、
シートは他側から折り目に沿って折り畳まれ、二重の折り目に沿ってシートを折ると、折り畳んだシートが包み込まれ、差込部を保持孔に差し込むことによりシートを折り畳んだ状態にすることを特徴とする扇子兼用のメガホン。
【請求項２】
シートの下辺に沿って折り返し用の折り目が設けられ、シートの下辺の一側および他側に、紐を通すための通し孔が設けられたことを特徴とする請求項１記載の扇子兼用のメガホン。
【請求項３】
隣り合う放射状の折り目によって区画された領域ごとに印刷が施されたことを特徴とする請求項１または２記載の扇子兼用のメガホン。
【考案の詳細な説明】
【技術分野】
【０００１】
本考案は、扇子としても使用可能なメガホンに関する。
【背景技術】
【０００２】
１枚の扇形のシートを丸めれば、メガホンとして使用でき、シートを広げれば、扇子として使用できる扇子兼用のメガホンが特許文献１に開示されている。そして、シートに折り目が設けられ、シートを折り畳むことができる。しかし、このシートには、折り畳んだ状態を保持するための手段がないので、折り畳まれたシートが広がる。
【０００３】
特許文献２には、シートの左右方向の一側にボタンホックが設けられ、他側に係合用孔が設けられ、シートを折り畳んだとき、ボタンホックを孔に係合して、折り畳んだ状態を保持できることが記載されている。
【先行技術文献】
【特許文献】
【０００４】
【特許文献１】特開平８−２２２８７号公報
【特許文献２】実公昭５５−１６３２０号公報
【考案の開示】
【考案が解決しようとする課題】
【０００５】
シートを折り畳んだ状態に保持するために、シートに別部材であるボタンホックを取り付けなければならず、取付作業が増えるとともにコストアップになる。１枚のシートから扇子兼用のメガホンを作製するのには不適である。
【０００６】
本考案は、上記に鑑み、１枚のシートを広がらないように折り畳むことができる扇子兼用のメガホンの提供を目的とする。
【課題を解決するための手段】
【０００７】
本考案の扇子兼用のメガホンは、上辺が円弧状、下辺が親指と人差し指との間から手のひらにかけて沿うような曲線状とされた扇形のシートが扇子として使用される。シートの左右の少なくとも一側に、差込部が設けられ、シートの他側に、差込部を係止する係止孔が設けられ、シートを丸めて差込部を係止孔に差し込んでシートを筒状にすることによりメガホンとして使用される。シートを折り返して畳めるようにシートに、放射状の折り目が下辺から上辺に向けて設けられ、シートの一側に近い２つの放射状の折り目が二重に設けられ、二重の折り目の間に、シートを折り畳んだ状態に保持するために差込部を係止する保持孔が設けられ、シートは他側から折り目に沿って折り畳まれ、二重の折り目に沿ってシートを折ると、折り畳んだシートが包み込まれ、差込部を保持孔に差し込むことによりシートを折り畳んだ状態にすることができる。
【０００８】
シートの下辺に沿って折り返し用の折り目が設けられ、シートの下辺の一側および他側に、紐を通すための通し孔が設けられる。メガホンに紐を付けて、メガホンを首から吊るすことができる。
【０００９】
隣り合う放射状の折り目によって区画された領域ごとに印刷が施される。各領域の印刷を組み合わせることにより、１つの印刷となる。
【考案の効果】
【００１０】
本考案によると、メガホンや扇子として使用できるとともに、使用しないときには、コンパクトに折り畳むことができ、携帯しやすくなる。
【図面の簡単な説明】
【００１１】
【図１】本考案の実施形態の扇子の平面図
【図２】メガホンの斜視図
【図３】メガホンの平面図
【図４】折り畳んだ状態のシートの斜視図
【図５】他の実施形態の扇子の平面図
【図６】他の実施形態の扇子の平面図
【考案を実施するための最良の形態】
【００１２】
本実施形態の扇子兼用のメガホンは、図１〜４に示すように、１枚の厚手の紙製のシート１から構成される。扇形に打ち抜かれたシート１は、上辺が円弧状とされ、下辺が一定の曲率から徐々に曲率が小さくなる曲線状とされる。この曲線は、親指と人差し指との間から手のひらにかけて沿うような曲線とされる。
【００１３】
図１に示すように、広げた状態のシート１は扇子として使用できる。図２，３に示すように、シート１を丸めると、メガホンとして使用できる。そして、図４に示すように、シート１をコンパクトに折り畳むことができ、携帯しやすくなる。
【００１４】
シート１に、放射状の折り目２が下辺から上辺に向けて複数設けられる。各折り目２が左右方向の他側、ここでは右側から左側（一側）に向けて等間隔に配される。右辺と右端の折り目２、左辺と左端の折り目２および隣り合う折り目２に囲まれた領域が環状扇形部３とされ、各環状扇形部３は同じ形状である。
【００１５】
シート１の左側には、差込部４が設けられる。シート１の右側に、差込部４を係止する係止孔５が設けられる。差込部４は、左辺から突出するように逆台形状に形成される。係止孔５は、右端の折り目２に沿って形成された略台形状の孔である。
【００１６】
シート１の左側に近い２つの放射状の折り目２ａは二重に設けられる。二重の折り目２ａは互いに平行とされる。二重の折り目ａの間に、差込部４を係止する保持孔６が設けられる。二重の折り目によって囲まれた矩形の領域は矩形部７とされる。保持孔６は、右側の矩形部７に形成された台形状の孔である。
【００１７】
シート１の下辺に沿って折り返し用の折り目８が設けられる。折り目８に沿ってシート１の下辺を折り返すと、メガホンの下部、すなわち口が当たる部分を補強できる。また、シート１の下辺の一側および他側に、紐を通すための通し孔９が設けられる。通し孔９は、折り返し用の折り目８を挟んで上下対称に設けられる。
【００１８】
シート１は広告媒体として使用できる。シート１の表面に、イラスト、キャッチコピーなどの印刷が施される。印刷はシート１全面に行われる、あるいは環状扇形部３ごとに行われる。個々の環状扇形部３に同じ印刷あるいは異なる印刷が行われる。なお、シート１の裏面にも印刷を施してもよい。
【００１９】
シート１をメガホンとして使用する場合、まず折り返し用の折り目８に沿ってシート１の下辺を裏面側に折り返す。そして、広げたシート１を丸めて、左端の環状扇形部３が上になるように右端の環状扇形部３に重ねる。差込部４を係止孔５に差し込むことにより、シート１が丸まった状態が保持され、メガホンとなる。
【００２０】
このとき、４つの通し孔９は重なって、１つの通し孔９となっているので、通し孔９に紐を通して輪にする。これにより、メガホンを首に吊るすことができ、すぐにメガホンを持ち上げることができる。
【００２１】
扇子として使用する場合、差込部４を係止孔５から抜いて、シート１を広げる。シート１の下辺を手で持つと、シート１の下辺が手にフィットとするので、扇ぎやすい。
【００２２】
シート１を折り畳む場合、右端の放射状の折り目２から順に前の折り目２とは逆方向に折って、環状扇形部３を畳んでいく。例えば、先に山折りした場合は、次に谷折りする。シート１が折り畳まれていき、矩形部７までくると、残りの折り目２ａを山折りする。２つの矩形部９は厚さ方向に位置して、折り畳まれたシート１の側面となる。２つの矩形部７とこれらに隣接する環状扇形部３によって、折り畳まれたシート１が包み込まれる。差込部４を保持孔６に差し込むことにより、折り畳まれたシート１は広がらないように保持される。折り畳まれたシート１はコンパクトになるので、携帯するのに好適である。
【００２３】
他の実施形態のシート１を図５に示す。差込部が上下に設けられる。上下の差込部４，４ａに応じて、係止孔５，５ａおよび保持孔６，６ａがそれぞれ上下に設けられる。なお、上側の差込部４は、上記実施形態の差込部４と同じである。下側の差込部４ａは、上側の差込部４より細くかつ長く形成され、中間で折り曲げられるように折り目が設けられている。上下の係止孔５，５ａは、スリット状に形成され、右端の折り目２上に設けられる。上側の保持孔６は、上記実施形態の保持孔６と同じである。下側の保持孔６ａは、スリット状に形成され、右側の折り目２上に設けられる。丸めたシート１を上下の差込部４，４ａで保持することにより、メガホンの状態をしっかりと維持できる。また、折り畳んだシート１を上下の差込部４，４ａで保持することにより、より一層シート１を広がりにくくすることができる。
【００２４】
他の実施形態のシート１を図６に示す。紐の通し孔１０がシート１の左側に設けられる。シート１の左辺の差込部４よりも下側に張出片１１が形成され、張出片１１に通し孔１０が形成される。メガホンに紐を付けたとき、紐は口元から離れて位置する。メガホンを使用するとき、紐が邪魔にならない。また、紐を付けたままシート１を折り畳んだとき、紐は外側にある。折り畳んだシート１に紐を巻き付けることができ、シート１を携帯するときにも邪魔にならない。
【００２５】
なお、本考案は、上記実施形態に限定されるものではなく、本考案の範囲内で上記実施形態に多くの修正および変更を加え得ることは勿論である。差込部４を左辺および右辺に設けてもよい。シート１を丸めて、右辺の差込部４を保持孔６に差し込むことにより、小径のメガホンとすることができる。
【符号の説明】
【００２６】
１    シート
２    放射状の折り目
２ａ    二重の折り目
３    環状扇形部
４    差込部
５    係止孔
６    保持孔
７    矩形部
８    折り返し用の折り目
９    通し孔
【図１】
0003223657.tif 000003
【図２】
0003223657.tif 000004
【図３】
0003223657.tif 000005
【図４】
0003223657.tif 000006
【図５】
0003223657.tif 000007
【図６】
0003223657.tif 000008